【手続補正書】
【提出日】平成25年5月10日(2013.5.10)
【手続補正１】
【補正対象書類名】明細書
【補正対象項目名】００１７
【補正方法】変更
【補正の内容】
【００１７】
以下、本発明の実施の形態について、図面を参照して詳細に説明する。なお、説明は以下の順序で行う。
１．実施の形態（Ｒ，Ｇ，Ｂの画素ごとにセルギャップが異なる液晶表示パネルの例）
２．変形例（Ｒ，ＧとＢとの間でセルギャップが異なる液晶表示パネルの例等）
【手続補正２】
【補正対象書類名】明細書
【補正対象項目名】００１８
【補正方法】変更
【補正の内容】
【００１８】
＜実施の形態＞
［液晶表示装置の全体構成］
図１は、本発明の一実施の形態に係る液晶表示装置（液晶表示装置１）のブロック構成を表すものである。液晶表示装置１はいわゆる透過型の液晶表示装置であり、バックライト３（光源部）と、透過型の液晶表示パネル２とを備えている。この液晶表示装置１はまた、画像処理部４１、オーバードライブ処理部４２、フレームメモリ４３、タイミング制御部４４、バックライト駆動部５０、データドライバ５１およびゲートドライバ５２を備えている。これらのうち、タイミング制御部４４、データドライバ５１およびゲートドライバ５２が、本発明における「駆動部」の一具体例に対応している。
【手続補正３】
【補正対象書類名】明細書
【補正対象項目名】００２８
【補正方法】変更
【補正の内容】
【００２８】
そこで、本実施の形態の液晶表示パネル２では、カラーフィルタ２０６Ｒ，２０６Ｇ，２０６Ｂの膜厚を表示光の波長λの長さに応じて異ならせることにより、上記したマルチギャップ構造を実現している。具体的には、まず、画素２０Ｒを透過する赤色光、画素２０Ｇを透過する青色光、画素２０Ｂを透過する青色光の波長λをそれぞれ、λｒ，λｇ，λｂとすると、λｒ＞λｇ＞λｂである。したがって、カラーフィルタ２０６Ｒ，２０６Ｇ，２０６Ｂの膜厚をそれぞれ、Ｈｒ，Ｈｇ，Ｈｂとすると、ここではＨｒ＜Ｈｇ＜Ｈｂとすることにより、セルギャップｄｒ，ｄｇ，ｄｂの値を、上記したようにｄｒ＞ｄｇ＞ｄｂとなるように設定している。これにより、液晶表示パネル２では、表示光の透過率Ｔを、この表示光の波長λに依存せずに最大となるように設定することができる。したがって、液晶表示装置１では、従来の一般的な液晶表示装置（セルギャップｄの値が各色の画素で共通となっているもの）と比べ、表示光の透過率を高めることができ、高輝度が実現されるようになっている。
【手続補正４】
【補正対象書類名】明細書
【補正対象項目名】００５８
【補正方法】変更
【補正の内容】
【００５８】
なお、これによりセレクタ４２４は、ここでは、選択制御信号ＳＥＬの値に応じて、映像信号Ｄ１（Ｄ１ｒ，Ｄ１ｇ，Ｄ１ｂ）と、ゲイン補正後の映像信号Ｄ３０３（Ｄ３０３ｒ，Ｄ３０３ｇ，Ｄ３０３ｂ）とのうちの一方を選択的に出力するようになっている。そして、このようにして選択された映像信号は、映像信号Ｄ３０４（Ｒ，Ｇ，Ｂに対応するＤ３０４ｒ，Ｄ３０４ｇ，Ｄ３０４ｂ）として出力されるようになっている。
【手続補正５】
【補正対象書類名】明細書
【補正対象項目名】００６０
【補正方法】変更
【補正の内容】
【００６０】
まず、静止画／動画判定部４２１が、前述したように、映像信号Ｄ１（Ｎ）が静止画であるのか動画であるのかの判定を行う（ステップＳ９０１）。具体的には、映像信号Ｄ１（Ｎ）の輝度階調と映像信号Ｄ１（Ｎ−１）の輝度階調との階調差が、所定の設定値（閾値）よりも大きいか否かに応じて、静止画であるのか動画であるのかの判定を行う。ここで、（階調差＜設定値）であることにより、ステップＳ９０１において映像信号Ｄ１（Ｎ）が静止画であると判定された場合、セレクタ４２４は、この映像信号Ｄ１を映像信号Ｄ３０４として出力（Ｄ３０４＝Ｄ１）する（ステップＳ９０２）。すなわち、この場合には映像信号Ｄ１（Ｎ）が静止画であることから、以下説明するオーバードライブ処理およびゲイン補正を行う必要がないため、これで図１２に示した全体の処理が終了となる。
【手続補正６】
【補正対象書類名】明細書
【補正対象項目名】００６１
【補正方法】変更
【補正の内容】
【００６１】
一方、ステップＳ９０１において、（階調差≧設定値）であることにより、映像信号Ｄ１（Ｎ）が動画であると判定された場合、以下説明するオーバードライブ処理およびゲイン補正が行われる。すなわち、まず、オーバードライブ値出力部４２２は、オーバードライブ処理用ＬＵＴ４２２Ａから、映像信号Ｄ１（Ｎ）および映像信号Ｄ１（Ｎ−１）の輝度階調の遷移態様（輝度階調差）に応じて、映像信号Ｄ２（オーバードライブ値）を読み出す（ステップＳ９０３）。これにより、映像信号Ｄ１に対するオーバードライブ処理後の映像信号Ｄ２が、オーバードライブ値出力部４２２から出力される。
【手続補正７】
【補正対象書類名】明細書
【補正対象項目名】００６３
【補正方法】変更
【補正の内容】
【００６３】
ここで、（Ｄ１＜Ｄ２）であると判定された場合（ステップＳ９０４：Ｙ）、ゲイン補正部３０３は、映像信号Ｄ１（Ｎ），Ｄ１（Ｎ−１）の輝度階調の遷移態様に依存しない固定（一定）のゲイン値Ｇａｉｎを用いて、以下の（２）式によりゲイン補正を行う（ステップＳ９０５）。これにより、映像信号Ｄ２に対するゲイン補正後の映像信号Ｄ３０３が生成される。一方、（Ｄ１＞Ｄ２）であると判定された場合（ステップＳ９０４：Ｎ）、ゲイン補正部３０３は、上記した固定（一定）のゲイン値Ｇａｉｎを用いて、以下の（３）式によりゲイン補正を行う（ステップＳ９０６）。これにより、映像信号Ｄ２に対するゲイン補正後の映像信号Ｄ３０３が生成される。
Ｄ３０３＝（Ｄ２−Ｄ１）×Ｇａｉｎ＋Ｄ１  ……（２）
Ｄ３０３＝（Ｄ１−Ｄ２）×Ｇａｉｎ＋Ｄ１  ……（３）
【手続補正８】
【補正対象書類名】明細書
【補正対象項目名】００７４
【補正方法】変更
【補正の内容】
【００７４】
図１４は、本実施の形態のオーバードライブ処理およびゲイン補正を流れ図で表わしたものである。まず、本実施の形態では、図１２に示した上記比較例３の場合（ステップＳ９０１〜Ｓ９０３）と同様にして、ステップＳ１０１〜Ｓ１０３の各処理を行う。すなわち、静止画／動画判定部４２１による静止画／動画判定（ステップＳ１０１）、セレクタ４２４による映像信号Ｄ１を映像信号Ｄ４として出力する処理（ステップＳ１０２）、およびオーバードライブ値出力部４２２によるオーバードライブ処理（ステップＳ１０３）をそれぞれ行う。
【手続補正９】
【補正対象書類名】明細書
【補正対象項目名】００７５
【補正方法】変更
【補正の内容】
【００７５】
次いで、本実施の形態では、ゲイン補正部４２３が、ゲイン補正用ＬＵＴ４２３Ａから、映像信号Ｄ１（Ｎ）および映像信号Ｄ１（Ｎ−１）の輝度階調の遷移態様（輝度階調差）に応じて、Ｒ，Ｇ，Ｂの色ごとに異なるゲイン値Ｇａｉｎを読み出す（ステップＳ１０４）。
【手続補正１０】
【補正対象書類名】明細書
【補正対象項目名】００７９
【補正方法】変更
【補正の内容】
【００７９】
ここで、図１５は、上記したゲイン補正の際に用いられる、ゲイン補正用ＬＵＴ４２３Ａの一例を模式的に表したものである。このゲイン補正用ＬＵＴ４２３Ａでは、現在のフレーム期間の映像信号Ｄ１（Ｎ）における輝度階調と、直前のフレーム期間の映像信号Ｄ１（Ｎ−１）における輝度階調と、色ごと（映像信号Ｄ２ｒ，Ｄ２ｇ，Ｄ２ｂごと）に異なるゲイン値Ｇａｉｎとが、対応付けて規定されている。ここでは、映像信号Ｄ１（Ｎ），Ｄ１（Ｎ−１）の輝度階調がそれぞれ、一例として０〜１０２３階調の範囲で示されている。また、図１５中には、これらの階調の一部のみを代表して示している。このゲイン補正用ＬＵＴ４２３Ａでは、表示駆動の際に、輝度階調の遷移態様に応じた液晶の応答波形がセルギャップの値に依存せずに各画素２０Ｒ，２０Ｇ，２０Ｂで略同一となるように、ゲイン値Ｇａｉｎが設定されている。